(57)【要約】【課題】薬物イオンを生体に投与するイオントフォレーシス装置であって、毛髪などを避けて薬物を投与することができる。【解決手段】薬物イオンを生体に投与するイオントフォレーシス装置１０であって、電源６０における、薬物イオンと同じ電気的な極性を有する端子６２に電気的に接続される第１電極部材２１０、および、薬物を保持し、第１電極部材２１０により作られる電場内に配される薬液保持部２４０を有する作用側電極構造体２００と、電源６０における、薬物イオンと異なる電気的な極性を有する端子６４に電気的に接続される非作用側電極構造体３００とを備え、薬液保持部２４０は、投与時において第１電極部材２１０側から投与対象へ向けて突出し、内部に薬物を保持した櫛状の複数の突起を有する。【選択図】図１
2007097686.tif 000002
【特許請求の範囲】
【請求項１】
薬物イオンを生体に投与するイオントフォレーシス装置であって、
電源における、前記薬物イオンと同じ導電型である第１導電型の端子に電気的に接続される第１電極部材、および、前記薬物イオンを含む薬液を保持し、前記第１電極部材により作られる電場内に配される薬液保持部を有する作用側電極構造体と、
前記電源における、前記第１導電型と反対の導電型である第２導電型の端子に電気的に接続される非作用側電極構造体と
を備え、
少なくとも前記薬液保持部は、投与時において前記第１電極部材側から投与対象へ向けて突出し、内部に前記薬液を保持した櫛状の複数の突起を有するイオントフォレーシス装置。
【請求項２】
前記作用側電極構造体は、
前記第１電極部材に電気的に接続され、電解液を保持する第１電解液保持部、
前記第１電極部材との間で前記第１電解液保持部を挟み、前記第２導電型のイオンを選択的に透過する第２導電型のイオン交換膜、および、
前記複数の突起の先端にそれぞれ配されて前記第２導電型のイオン交換膜との間で前記薬液保持部を挟み、前記第１導電型のイオンを選択的に透過する第１導電型のイオン交換膜
をさらに有する請求項１に記載のイオントフォレーシス装置。
【請求項３】
前記作用側電極構造体の前記複数の突起の各々は、互いに独立した前記内部にさらに、前記作用側電極構造体の前記第１電極部材、前記電解液保持部および前記第２導電型のイオン交換膜を収容する請求項２に記載のイオントフォレーシス装置。
【請求項４】
前記非作用側電極構造体は、
前記電源の前記端子に電気的に接続される第２電極部材、
前記第２電極部材に電気的に接続され、電解液を保持する第２電解液保持部、
前記第２電極部材との間で前記第２電解液保持部を挟み、前記第１導電型のイオンを選択的に透過する第１導電型のイオン交換膜、
前記第１導電型のイオン交換膜において前記第２電解液保持部と反対側に配され、電解液を保持する第３電解液保持部、および、
前記第１導電型のイオン交換膜との間で前記第３電解液保持部を挟み、前記第２導電型のイオンを選択的に透過する第２導電型のイオン交換膜
を有する請求項２または３に記載のイオントフォレーシス装置。
【請求項５】
前記第３電解液保持部は、前記第２電極部材側から外側へ突出し、内部に前記電解液を保持した櫛状の複数の突起を有し、
前記非作用側電極構造体の前記第２導電型のイオン交換膜は、前記第３電解液保持部の前記複数の突起の先端にそれぞれ配される請求項４に記載のイオントフォレーシス装置。
【請求項６】
前記非作用側電極構造体の前記複数の突起の各々は、互いに独立した前記内部にさらに前記非作用側電極構造体の前記第２電極部材、前記電解液保持部および前記第１導電型のイオン交換膜を収容する請求項５に記載のイオントフォレーシス装置。
【請求項７】
前記薬液保持部の前記複数の突起と、前記第３電解液保持部の前記複数の突起とが、二次元的に互いに入れ込んで配される請求項５または６に記載のイオントフォレーシス装置。
【請求項８】
前記複数の突起の先端を頭皮に接触させた状態で、少なくとも前記作用側電極構造体を頭部に保持するヘッドギア部をさらに備える請求項１に記載のイオントフォレーシス装置。
【請求項９】
前記薬液保持部は、前記薬物イオンとして脱毛防止剤を保持する請求項８に記載のイオントフォレーシス装置。
【請求項１０】
薬物イオンを生体に投与するイオンフォトレーシス装置における作用側電極構造体ユニットであって、
電源における、前記薬物イオンと同じ導電型である第１導電型の端子に電気的に接続される第１電極部材と、
前記薬物イオンを含む薬液を保持し、前記第１電極部材により作られる電場内に配される薬液保持部と
を備え、
少なくとも前記薬液保持部は、投与時において前記第１電極部材側から投与対象へ向けて突出し、内部に前記薬液を保持した櫛状の複数の突起を有する作用側電極構造体ユニット。
【発明の詳細な説明】
【技術分野】
【０００１】
本発明は、イオントフォレーシス装置および作用側電極構造体ユニットに関する。特に本発明は、薬物イオンをイオントフォレーシスにより経皮的に投与するイオントフォレーシス装置、および、これに用いる作用側電極構造体ユニットに関する。
【背景技術】
【０００２】
人間、動物等の生体における所望の皮膚、粘膜等の生体表面に対して、薬物をイオン解離させた薬物イオンを、イオントフォレーシスにより経皮的に投与するイオントフォレーシス装置が知られている。このイオントフォレーシス装置において、作用側電極構造体および非作用側電極構造体における電極部材表面での電気化学反応に起因する課題、例えば、通電抵抗の増大に伴うイオン輸送効率の低下、または、生成物による皮膚への悪影響、などに対応するべく、イオン交換膜を作用側電極構造体および非作用側電極構造体にそれぞれ複数配設する構成が知られている（例えば、特許文献１参照）。また、イオントフォレーシス装置において、皮膚との接触面を不織布などの柔らかい多孔質材とすることで、凹凸の多い顔面、あるいは、髪の毛が邪魔になることが多い頭皮などにおいて、皮膚と接触面をより確実に当接させて通電性を確保した生体用電極構造体、および、上記生体用電極構造体を固定するための固定シートが知られている（例えば、特許文献２参照）。
【特許文献１】特開２０００−２２９１２８号公報
【特許文献２】特開２００１−７９１００号公報
【発明の開示】
【発明が解決しようとする課題】
【０００３】
上記特許文献１に開示されているイオントフォレーシス装置は、例えば頭皮など体毛の多い皮膚に対して薬物イオンを投与する場合、体毛が邪魔になることが多く、イオントフォレーシス装置の特に作用側電極構造体における当該皮膚面との当接状態が不安定になるので、投与時において通電状態を良好に維持することが難しい。一方、上記特許文献２に開示されている生体用電極構造体は、例えば頭皮に対して用いた場合、髪の毛と頭皮の両方と当接する。したがって、頭皮への投与を目的とした薬物イオンが頭髪にも浸透するので投与ロスが生じ、さらには、頭皮だけに作用側電極構造体を当接させる場合と比べて、作用側電極構造体の電極面積が大きくなり、加える電圧が大きくなる。これらは、患者への負担が大きくなる点で好ましくないだけでなく、投与量の制御が難しくなり、薬物にかかるコストも大きくなる。
【０００４】
また、上記特許文献２に開示されている固定シートを用いて上記生体用電極構造体を固定する場合、上記生体用電極構造体を構成する端子および導電支持部材の間で固定シートを挟持して局所的にこれを破壊するので、異なる部位への投与に対して繰り返し上記固定シートを使用すると、シート上に多数穴が空き、固定シートの固定能力が損なわれる。
【課題を解決するための手段】
【０００５】
上記課題を解決するために、本発明の第１の形態においては、薬物イオンを生体に投与するイオントフォレーシス装置であって、電源における、薬物イオンと同じ導電型である第１導電型の端子に電気的に接続される第１電極部材、および、薬物イオンを含む薬液を保持し、第１電極部材により作られる電場内に配される薬液保持部を有する作用側電極構造体と、電源における、第１導電型と反対の導電型である第２導電型の端子に電気的に接続される非作用側電極構造体とを備え、少なくとも薬液保持部は、投与時において第１電極部材側から投与対象へ向けて突出し、内部に薬液を保持した櫛状の複数の突起を有する。これにより、体毛の多い皮膚に対しても体毛を避けて薬物を投与することができる。
【０００６】
上記イオントフォレーシス装置において、作用側電極構造体は、第１電極部材に電気的に接続され、電解液を保持する第１電解液保持部、第１電極部材との間で第１電解液保持部を挟み、第２導電型のイオンを選択的に透過する第２導電型のイオン交換膜、および、複数の突起の先端にそれぞれ配されて第２導電型のイオン交換膜との間で薬液保持部を挟み、第１導電型のイオンを選択的に透過する第１導電型のイオン交換膜をさらに有してもよい。これにより、安定した通電状態のもとで薬物を投与することができるだけでなく、作用側電極構造体と当接する皮膚の熱傷、炎症などを防ぐことができるので、安全かつ効率よく薬物を投与することができる。
【０００７】
上記イオントフォレーシス装置において、作用側電極構造体の複数の突起の各々は、互いに独立した内部にさらに、作用側電極構造体の第１電極部材、電解液保持部および第２導電型のイオン交換膜を収容してもよい。これにより、突起の各々に対して独立した薬物の保持および投与の制御をすることができる。
【０００８】
上記イオントフォレーシス装置において、非作用側電極構造体は、電源の端子に電気的に接続される第２電極部材、第２電極部材に電気的に接続され、電解液を保持する第２電解液保持部、第２電極部材との間で第２電解液保持部を挟み、第１導電型のイオンを選択的に透過する第１導電型のイオン交換膜、第１導電型のイオン交換膜において第２電解液保持部と反対側に配され、電解液を保持する第３電解液保持部、および、第１導電型のイオン交換膜との間で第３電解液保持部を挟み、第２導電型のイオンを選択的に透過する第２導電型のイオン交換膜を有してもよい。これにより、さらに安定した通電状態のもとで薬物を投与することができるだけでなく、非作用側電極構造体と当接する皮膚の熱傷、炎症などを防ぐことができるので、さらに安全かつ効率よく薬物を投与することができる。
【０００９】
上記イオントフォレーシス装置において、第３電解液保持部は、第２電極部材側から外側へ突出し、内部に電解液を保持した櫛状の複数の突起を有し、非作用側電極構造体の第２導電型のイオン交換膜は、第３電解液保持部の複数の突起の先端にそれぞれ配されてもよい。これにより、毛髪などを避けて非作用側電極構造体を患者の皮膚に接触させることができるので、作用側電極構造体と非作用側電極構造体とを近接して配置することができる。したがって、薬物の投与時に第１電極部材および第２電極部材の間に加える電圧を小さくすることができるので、患者（あるいは、頭皮などの投与部位）への負担を小さくすることができる。
【００１０】
上記イオントフォレーシス装置において、非作用側電極構造体の複数の突起の各々は、互いに独立した内部にさらに非作用側電極構造体の第２電極部材、電解液保持部および第１導電型のイオン交換膜を収容してもよい。これにより、突起の各々に対して独立した電解液の保持および投与の制御をすることができる。
【００１１】
上記イオントフォレーシス装置において、薬液保持部の複数の突起と、第３電解液保持部の複数の突起とが、二次元的に互いに入れ込んで配されてもよい。薬物の投与時に第１電極部材および第２電極部材の間に加える電圧を小さくすることができるので、患者における投与部位への負担を小さくすることができる。
【００１２】
上記イオントフォレーシス装置において、複数の突起の先端を頭皮に接触させた状態で、少なくとも作用側電極構造体を頭部に保持するヘッドギア部をさらに備えてもよい。これにより、薬物を頭皮から投与する場合に、ユーザが作用側電極構造体を手で保持し続ける不具合を解消することができる。
【００１３】
上記イオントフォレーシス装置において、薬液保持部は、薬物として脱毛防止剤を保持してもよい。これにより、頭皮における毛根に対して有効な薬物を効率よく投与することができる。
【００１４】
本発明の第２の形態においては、薬物イオンを生体に投与するイオンフォトレーシス装置における作用側電極構造体ユニットであって、電源における、薬物イオンと同じ導電型である第１導電型の端子に電気的に接続される第１電極部材と、薬物イオンを含む薬液を保持し、第１電極部材により作られる電場内に配される薬液保持部とを備え、少なくとも薬液保持部は、投与時において第１電極部材側から投与対象へ向けて突出し、内部に薬液を保持した櫛状の複数の突起を有する。これにより、第１の形態と同様の効果を得ることができる。
【００１５】
なお、上記の発明の概要は、本発明の必要な特徴の全てを列挙したものではなく、これらの特徴群のサブコンビネーションもまた、発明となりうる。
【発明を実施するための最良の形態】
【００１６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１７】
図１は、本発明の実施形態に係るイオントフォレーシス装置１０の斜視図であり、図２は、図１に示したイオントフォレーシス装置１０の作用側電極構造体２００の斜視図である。図１および図２に示すイオントフォレーシス装置１０は、電源６０と、この電源６０の一方の端子６２に電気的に接続される作用側電極構造体２００と、電源６０の他方の端子６４にケーブル６６を介して電気的に接続される非作用側電極構造体３００とを備える。なお、イオントフォレーシス（iontophoresis）は、イオントフォレーゼ、イオン導入法、イオン浸透療法などと呼ばれることもある。
【００１８】
図１に示すように、作用側電極構造体２００は、第１電極部材２１０、および、薬物イオンを保持する薬液保持部２４０を有する。ここで、薬物イオンとは、薬物が正（＋）または負（−）にイオン解離したイオンであって、薬効を担うイオンをいう。図１に示す形態において薬物イオンと同じ導電型を有する第１導電型の端子６２は、ネジ山が形成された雄ネジ形状を有しており、作用側電極構造体２００は、端子６２の雄ネジ形状に対応する雌ネジ形状（ネジ穴）を有する。これにより、端子６２は、作用側電極構造体２００に上記雄ネジおよびネジ穴で締結されて、作用側電極構造体２００内部の第１電極部材２１０に電気的に接続される。
【００１９】
薬液保持部２４０は、薬物投与時において第１電極部材２１０により作られる電場内に配される。また、薬液保持部２４０は、薬物投与時において第１電極部材２１０側から投与対象へ向けて（図１における左下方向、図２における上方向）突出する複数の突起２５２を有する。作用側電極構造体２００の詳細については、図３を用いてさらに説明する。
【００２０】
図３は、イオントフォレーシス装置１０の概略断面図である。図３に示すイオントフォレーシス装置１０の作用側電極構造体２００は、電源６０側から、皮膚に装着される場合の皮膚側に向かって、第１電極部材２１０、第１電解液保持部２２０、第２導電型のイオン交換膜２３０、薬液保持部２４０、および第１導電型のイオン交換膜２５０をこの順に有する。上記構成による作用側電極構造体２００は、作用側電極構造体ユニットとして独立して製造され、使用されてもよい。
【００２１】
第１電解液保持部２２０は、第１電極部材２１０に電気的に接続され、電解液を保持する。第２導電型のイオン交換膜２３０は、第１電極部材２１０との間で第１電解液保持部２２０を挟み、薬物イオンと異なる導電型である第２導電型のイオンを選択的に透過する。
【００２２】
図１および図２に示した複数の突起２５２は、櫛状に配される。これら突起２５２のおのおのは、中空であって薬物を保持する。さらに、この突起２５２の先端には、第１導電型のイオン交換膜２５０が配される。第１導電型のイオン交換膜２５０は、第２導電型のイオン交換膜２３０との間で薬液保持部２４０を挟み、第１導電型のイオンを選択的に透過する。
【００２３】
図２に示す形態において、薬液保持部２４０は突起２５２により互いに独立した小部屋を形成している。ただし、薬液保持部２４０の形態はこれに限られず、突起２５２により形成された小部屋がさらに互いに連通していてもよい。また、突起２５２の長さおよび断面積は、当該突起２５２を接触させる皮膚における体毛を避けて当該皮膚に到達できるように設計されることが好ましい。
【００２４】
図３に示すイオントフォレーシス装置１０の非作用側電極構造体３００は、電源６０側から、皮膚に装着される場合の皮膚側に向かって、第２電極部材３１０、第２電解液保持部３２０、第１導電型のイオン交換膜３３０、第３電解液保持部３４０、および、第２導電型のイオン交換膜３５０をこの順に有する。第２電極部材３１０は、電源６０における、第２導電型の端子６４に電気的に接続される。第２電解液保持部３２０は、第２電極部材３１０に電気的に接続され、電解液を保持する。第１導電型のイオン交換膜３３０は、第２電極部材３１０との間で第２電解液保持部３２０を挟み、第１導電型のイオンを選択的に透過する。第３電解液保持部３４０は、第１導電型のイオン交換膜３３０において第２電解液保持部３２０と反対側に配され、電解液を保持する。第２導電型のイオン交換膜３５０は、第１導電型のイオン交換膜３３０との間で第３電解液保持部３４０を挟み、第２導電型のイオンを選択的に透過する。
【００２５】
ここで、薬物イオンとしてアスコルビン酸ナトリウム（As−Na＋）を投与する場合における、図３に示すイオントフォレーシス装置１０の具体的な構成および作用について説明する。アスコルビン酸ナトリウム（As−Na＋）の有効薬物成分は、陰イオンであるアスコルビン酸イオン（As−）であるので、イオントフォレーシス装置１０において、作用側電極構造体２００の第１電極部材２１０は負（−）極に設定され、非作用側電極構造体３００の第２電極部材３１０は正（＋）極に設定される。
【００２６】
また、第２導電型のイオン交換膜２３０、３５０にはカチオン（陽イオン）交換膜を用い、第１導電型のイオン交換膜２５０、３３０にはアニオン（陰イオン）交換膜を用いる。また、作用側電極構造体２００の第１電解液保持部２２０、非作用側電極構造体３００の第２電解液保持部３２０、および第３電解液保持部３４０の電解液には、０．９％ＮａＣｌ水溶液を用いる。
【００２７】
イオントフォレーシス装置１０の装置本体５０に内蔵された電源６０から、作用側電極構造体２００の第１電極部材２１０、および非作用側電極構造体３００の第２電極部材３１０に電力が供給される（電圧がかけられる）ことにより、第１電極部材２１０と第２電極部材３１０とが、作用側電極構造体２００の第１導電型のイオン交換膜２５０および非作用側電極構造体３００の第２導電型のイオン交換膜３５０が当接している皮膚を介して通電する。
【００２８】
これにより、作用側電極構造体２００では、薬液保持部２４０に含まれるアスコルビン酸イオン（As−）が電気泳動により、負（−）極である第１電極部材２１０と反対側（皮膚側）へ移動する。薬液保持部２４０の皮膚側に配設されて皮膚と当接する第１導電型のイオン交換膜２５０がアニオン交換膜であるので、アスコルビン酸イオン（As−）は第１導電型のイオン交換膜２５０によって選択透過されて速やかに経皮浸透する。
【００２９】
また、作用側電極構造体２００の薬液保持部２４０に含まれるナトリウムイオン（Na＋）は第１電極部材２１０側へ移動する。薬液保持部２４０の皮膚と反対側に配された第２導電型のイオン交換膜２３０はカチオン交換膜であるので、薬液保持部２４０に含まれるナトリウムイオン（Na＋）は第２導電型のイオン交換膜２３０によって、第１電解液保持部２２０側へ選択透過される。
【００３０】
さらに、作用側電極構造体２００の第１導電型のイオン交換膜２５０がアニオン交換膜であるので、皮膚表面の汗などに存在するナトリウムイオン（Na＋）などの陽イオンは、上記電圧によって生じる電界によって皮膚側から薬液保持部２４０側へ移動しない。また、第２導電型のイオン交換膜２３０がカチオン交換膜であるので、第１電極部材２１０上での水の電気分解反応（還元反応）によって生成するヒドロキシイオン（OH−）などの陰イオンは、第１電解液保持部２２０側から薬液保持部２４０側へ移動しない。
【００３１】
したがって、薬物イオンの投与時に薬液保持部２４０のイオンバランスが崩れないので、ｐＨの変化は生じにくい。故に、通電抵抗が大きくなりにくいので有効薬物成分のイオン輸送効率が低下しにくく、また、第１電極部材２１０での生成物による熱傷または炎症など皮膚への悪影響を防ぐことができる。
【００３２】
一方、非作用側電極構造体３００では、第２導電型のイオン交換膜３５０がカチオン交換膜であるので、皮膚表面の汗などに存在する塩化物イオン（Cl−）が、電界によって皮膚側から第３電解液保持部３４０側へ移動しない。また、第１導電型のイオン交換膜３３０がアニオン交換膜であるので、第２電極部材３１０上での酸化反応によって生成する次亜塩素酸イオンなどの陰イオンが、第２電解液保持部３２０側から第３電解液保持部３４０側へ移動しない。
【００３３】
したがって、薬物イオンの投与時に第３電解液保持部３４０のイオンバランスが崩れないので、ｐＨの変化は生じにくい。故に、通電抵抗が大きくなりにくい。また、第２電極部材３１０での生成物による熱傷または炎症など皮膚への悪影響を防ぐことができる。
【００３４】
以上において、薬物イオンが陰イオンの場合における、本実施形態のイオントフォレーシス装置１０の具体的な構成および作用について説明した。なお、薬物イオンが陽イオンの場合は、上記イオントフォレーシス装置１０における、第１電極部材２１０および第２電極部材３１０の電気的な極性を逆に設定し、また、第１導電型のイオン交換膜２５０、３３０、および、第２導電型のイオン交換膜２３０、３５０の種類（イオン選択特性）がそれぞれ反対のものを用いる。
【００３５】
図４は、イオントフォレーシス装置１０を頭部に取り付ける例を示す。図４に示すイオントフォレーシス装置１０は、複数の突起２５２を頭皮に接触させた状態で、少なくとも作用側電極構造体２００を頭部に保持するヘッドギア部４００を有する。ヘッドギア部４００は、装置固定バンド４１０、および、固定位置調整ピン４２０を有する。
【００３６】
この構成において、イオントフォレーシス装置１０を頭部に取り付ける場合に、ヘッドギア部４００が患者７０の頭部に装着される。さらに、装置固定バンド４１０が、固定位置調整ピン４２０によって薬物の投与部位を通る位置に固定される。さらに、投与部位の直上の位置において、図１に示したイオントフォレーシス装置１０の端子６２が装置固定バンド４１０の中央の溝に挿し込まれ、作用側電極構造体２００のネジ穴と締結して、電源６０および作用側電極構造体２００が固定される。ここで、作用側電極構造体２００の複数の突起２５２の先端は、頭皮の薬物投与部位に接触させた状態で固定される。一方、非作用側電極構造体３００は、例えば額など、患者７０の投与部位近傍の皮膚に当接して固定すればよく、当接部位、および当接手段は特に限定されない。
【００３７】
図４に示す態様において、イオントフォレーシス装置１０の電源６０から、作用側電極構造体２００および非作用側電極構造体３００に電力が供給される（電圧がかけられる）と、作用側電極構造体２００および非作用側電極構造体３００の間に、作用側電極構造体２００および非作用側電極構造体３００が当接している皮膚を介して通電する。これにより作用側電極構造体２００では、薬液保持部２４０に含まれる薬物イオンが、電気泳動により、薬液保持部２４０である複数の突起２５２の先端と当接する頭皮へ速やかに経皮浸透する。
【００３８】
図４に示す態様において、イオントフォレーシス装置１０は、作用側電極構造体２００の頭皮との当接面が、櫛状の複数の突起２５２を有しているので、毛髪などを避けて突起２５２が頭皮に接触する。よって、突起２５２における頭皮との接触面から薬物を投与することができる。
【００３９】
ここで、薬液保持部２４０は、薬物として脱毛防止剤を保持してもよい。これにより、上記薬物の投与対象の頭皮に対して有効な薬物を効率よく投与することができる。ここで、脱毛防止剤とは、脱毛症状の緩和あるいは治療、脱毛の原因と考えられる毛根中の油脂の酸化防止、育毛、あるいは発毛、などの効能が期待できる薬物である。以下に、脱毛防止剤の具体例を示す。これら薬物の単剤および合剤からなる薬物をすべて含む。
【００４０】
電極構造体に保持される薬物として、正にイオン化しうる副腎皮質ホルモンとしては、吉草酸ベタメタゾン、注射用コハク酸プレドニゾロンナトリウム、酢酸ジフロラゾン、酢酸デキサメタゾン、酢酸パラメタゾン、酢酸ベタメタゾン・リン酸ベタメタゾンナトリウム、酢酸メチルプレドニゾロン、ジプロピオン酸ベタメタゾン、フランカルボン酸モメタゾン、プロピオン酸クロベタゾール、プロピオン酸デキサメタゾン、プロピオン酸デプロドン、メタスルホ安息香酸デキサメタゾンナトリウム、酪酸プロピオン酸ベタメタゾン、リン酸デキサメタゾンナトリウム、リン酸ベタメタゾンナトリウム、プロピオン酸クロベタゾール、コハク酸メチルプレドニゾロンナトリウム、ジフルプレドナート、デキサメタゾン、トリアムシノロン、ヒドロコルチゾン、フルオシノニド、プレドニゾロン、ベタメタゾン、メチルプレドニゾロンが挙げられる。また、負にイオン化しうる副腎皮質ホルモンとしては、トリアムシノロンアセトニド、メチルプレドニゾロンが挙げられる。また、正にイオン化しうる副交感神経興奮剤としては、塩化アセチルコリン、塩化カルプロニウムが挙げられる。正にイオン化しうる発毛／育毛薬としてはミノキシジルが挙げられ、負にイオン化しうる発毛／育毛薬としてはアデノシンが挙げられる。
【００４１】
また、電極構造体に保持される薬物として、負にイオン化しうる酸化防止剤としてはアミノ酸（例えばグリシン、ヒスチジン、チロシン、トリプトファン）およびそれらの誘導体、イミダゾール（例えばウロカニン酸）およびそれらの誘導体、Ｄ，Ｌ−カルノシン、Ｄ−カルノシン、Ｌ−カルノシンなどのペプチドおよびそれらの誘導体（例えばアンセリン）、カロチノイド、カロチン（例えばα−カロチン、β−カロチン、リコピン）およびそれらの誘導体、クロロゲン酸およびその誘導体、リポ酸およびその誘導体（例えばジヒドロリポ酸）、アウロチオグルコース、プロピルチオウラシルおよび他のチオール（例えばチオレドキシン、グルタチオン、システイン、シスチン、シスタミンならびにそれらのグリコシル、Ｎ−アセチル、メチル、エチル、プロピル、アミル、ブチルおよびラウリル、パルミトイル、オレイル、γ−リノレイル、コレステリルおよびグリセリルエステル）およびそれらの塩、チオジプロピオン酸ジラウリル、チオジプロピオン酸ジステアリル、チオジプロピオン酸およびその誘導体（エステル、エーテル、ペプチド、脂質、ヌクレオチド、ヌクレオシドおよび塩、および極めて低い許容量（例えばｐｍｏｌ〜μｍｏｌ／ｋｇ）のスルホキシイミン化合物 （例えばブチオニンスルホキシイミン、ホモシステインスルホキシイミン、ブチオニンスルホン、ペンタ−、ヘキサ−およびヘプタ−チオニンスルホキシイミン）、および（金属）キレート化剤（例えばα−ヒドロキシ脂肪酸、パルミチン酸、フィチン酸、ラクトフェリン）、α−ヒドロキシ酸（例えば、クエン酸、乳酸、リンゴ酸）、フミン酸、胆汁酸、胆汁エキス、ビリルビン、ビリベルジン、ＥＤＴＡ、ＥＧＴＡおよびそれらの誘導体、不飽和脂肪酸およびそれらの誘導体、ビタミンＣおよび誘導体（例えばアスコルビルパルミテート、マグネシウムアスコルビルホスフェート、アスコルビルアセテート）、トコフェロールおよび誘導体（例えばビタミンＥアセテート）、ビタミンＡおよび誘導体（例えばビタミンＡパルミテート）、およびベンゾイン樹脂のコニフェリルベンゾエート、ルチン酸（ｒｕｔｉｎｉｃ ａｃｉｄ）およびその誘導体、α−グリコシルルチン、フェルラ酸、フルフリデングルシトール、カルノシン、ブチルヒドロキシトルエン、ブチルヒドロキシアニソール、ノルジヒドログアイアレチン酸、トリヒドロキシブチロフェノン、クェルセチン、尿酸およびその誘導体、マンノースおよびその誘導体、亜鉛およびその誘導体（例えばＺｎＯ、ＺｎＳＯ4）、セレンおよびその誘導体（例えばセレノメチオニン）、スチルベンおよびその誘導体（例えばスチルベンオキシド、トランス−スチルベンオキシド）がある。
【００４２】
また、電極構造体に保持される薬物として、正にイオン化しうる末梢血管拡張作用を有する薬物としては、塩酸ベバントロール、塩酸チリソロール、塩酸トドララジン、ニコチン酸およびその誘導体、塩酸トラゾリン、塩酸イソクスプリン、セファランチン、シロスタゾールが挙げられる。負にイオン化しうる末梢血管拡張作用を有する薬物としては、イノシトールヘキサニコチネート、ニセリトロール、ヘプロニカート、ベラプロストナトリウム、リマプロストアルファデクスが挙げられる。
【００４３】
また、電極構造体に保持される薬物として、正にイオン化しうるアレルギー治療薬（アトピー性脱毛用）としては、塩酸エピナスチン、塩酸ジフェンヒドラミン、塩酸ジフェニルピラリン、テオクル酸ジフェニルピラリン、フマル酸クレマスチン、マレイン酸クロルフェニラミン(dl体)、マレイン酸クロルフェニラミン(d体)、塩酸トリプロリジン、酒石酸アリメマジン、塩酸プロメタジン、塩酸ホモクロルシクリジン、塩酸シプロヘプタジン、クロモグリク酸ナトリウム、フマル酸ケトチフェン、塩酸アゼラスチン、塩酸フェキソフェナジン、フマル酸エメダスチン、塩酸エピナスチン、エバスチン、塩酸セチリジン、ベシル酸ベポタスチン、塩酸オロパタジン、塩酸オザグレル、トシル酸スプラタスト、オキサトミド、メキタジン、ロラタジン、プランルカスト水和物、ザフィルルカストが挙げられ、負にイオン化しうるアレルギー治療薬（アトピー性脱毛用）としては、トラニラスト、アンレキサノクス、レピリナスト、タザノラスト、ペミロラストカリウム、セラトロダスト、ラマトロバン、モンテルカストナトリウムが挙げられる。
【００４４】
また、電極構造体に保持される薬物として、正にイオン化しうる局所麻酔薬（かゆみ止め）としては、塩酸リドカイン、塩酸プロカイン、プロカインアミド、塩酸オキシブプロカイン、塩酸テトラカイン、塩酸コカイン、塩酸ジブカイン、塩酸ブピバカイン、塩酸メピバカイン、塩酸プロピトカイン、塩酸ロピバカイン水和物が挙げられる。
【００４５】
また、電極構造体に保持される薬物として、負にイオン化しうるソラレン長波長紫外線療法薬としては、メトキサレンが挙げられる。また、正にイオン化しうる局所免疫療法薬としては、スクアリン酸ジブチルエステルが挙げられ、負にイオン化しうる局所免疫療法薬としては、ジフェニルシクロプロペノン、が挙げられる。
【００４６】
図５は、他の実施形態であるイオントフォレーシス装置１０の複合当接部８０の斜視図であり、図６は、図５に示したイオントフォレーシス装置１０の概略断面図である。図５および図６において、図１から図４に示したイオントフォレーシス装置１０と同じ構成については、同じ参照番号を付して説明を省略する。
【００４７】
図５に示す複合当接部８０は、作用側電極構造体２００および非作用側電極構造体３００がそれぞれ複数の突起２５２、および３５２を有し、複数の突起２５２、および３５２は、連結部材９０上に二次元的に互いに入れ込んで配されている。また、図６に示すように、作用側電極構造体２００の上記複数の突起２５２は、互いに独立した小部屋をなし、それぞれの内部に、電源６０側から、皮膚に装着される場合の皮膚側に向かって、第１電極部材２１０、第１電解液保持部２２０、第２導電型のイオン交換膜２３０、薬液保持部２４０、および第１導電型のイオン交換膜２５０をこの順に有する。同様に、非作用側電極構造体３００の上記複数の突起３５２は、互いに独立した小部屋をなし、電源６０側から、皮膚に装着される場合の皮膚側に向かって、第２電極部材３１０、第２電解液保持部３２０、第１導電型のイオン交換膜３３０、第３電解液保持部３４０、および、第２導電型のイオン交換膜３５０をこの順に有する。このように、作用側電極構造体２００、および非作用側電極構造体３００を近接して配置する形態とすることで、毛髪などを避けて薬物を投与することができるだけでなく、薬物の投与時に第１電極部材２１０および第２電極部材３１０の間に加える電圧を小さくすることができるので、頭皮などの投与部位への負担を小さくすることができる。
【００４８】
上記図１から図６に示す実施形態において、上記電圧は、０〜１０Ｖ程度の直流電圧が好ましく、例えば、低周波治療器のようにパルス電圧をかけたり、また、徐々に電圧を上げたり、あるいは、下げてもよい。体内を流れる電流は０．０１〜５ｍＡの範囲が好ましいが、第１電極部材２１０および第２電極部材３１０の面積や投与部位、さらには患者７０の個体差などによって増減させて、痛みや熱感を与えない程度に調整する。
【００４９】
また、イオントフォレーシス装置１０に適用される薬物としては、例示したアスコルビン酸ナトリウム、あるいは、頭皮への適用を想定した上記脱毛防止剤以外にも、例えば次のようなものがある。
【００５０】
正に帯電する薬物イオンとして、麻酔剤（塩酸プロカイン、塩酸リドカインなど）、胃腸疾患治療剤（塩化カルニチンなど）、骨格筋弛緩剤（臭化バンクロニウムなど）、抗生物質（テトラサイクリン系製剤、カナマイシン系製剤、ゲンタマイシン系製剤）等が挙げられる。
【００５１】
負に帯電する薬物イオンとして、ビタミン（以下、Ｖと略記する）剤（ＶＢ２、ＶＢ１２、ＶＣ、ＶＥ、葉酸など）、副腎皮質ホルモン（ヒドロコルチゾン系水溶性製剤、デキサメサゾン系水溶性製剤、プレドニソロン系水溶性製剤など）、抗生物質（ペニシリン系水溶性製剤、クロウムフェニコール系水溶性製剤）等が挙げられる。
【００５２】
また、電源６０は、装置本体５０に内蔵する形態に限定されず、例えば、電池、定電圧装置、定電流装置、定電圧・定電流装置（ガルバノ装置）など、所望のものでよい。
【００５３】
また、連結部材９０は、非イオン伝導性および電気絶縁性を有し、さらに、可塑性、柔軟性、可撓性、および形状保持性の少なくとも一つを有する材料にて作製されるのが望ましい。例えば、アクリル、ポリ塩化ビニル、ポリアクリル、ポリアミド、ポリスルホン、ポリスチレン、ポリオキシメチレン、ポリカーボネート、ポリエステル、およびこれらの素材の共重合体などが適当である。
【００５４】
また、第１電極部材２１０、および第２電極部材３１０の電極材は、例えば、炭素、白金などの導電性材料など、薬物イオンの特性に応じて所望のものを用いてもよい。
【００５５】
また、作用側電極構造体２００の第１電解液保持部２２０、非作用側電極構造体３００の第２電解液保持部３２０、および第３電解液保持部３４０は、通電性を確保するためのものであり、具体的には、上記実施形態において例示した生理食塩水などを、所望の媒体（ガーゼ、吸水性高分子材料など）に含浸させたタイプのもの、または、溶液タイプのものであってもよい。
【００５６】
また、アニオン交換膜は、例えば、高分子の側鎖に四級化されたアンモニウム基を有するもの、カチオン交換膜としては、例えば、高分子の側鎖にスルホン酸基を有するものなど所望のものでよく、これらは薬物イオンの解離イオン種の種類によって適宜組み合わせてもよい。
【００５７】
上記実施形態においては、イオントフォレーシス装置１０を頭部に設置して頭皮から薬物を投与する例を説明した。しかしながら、図１から図６に示すイオントフォレーシス装置１０の設置場所は頭部に限られず、生体におけるいずれの場所に設置されてもよい。特に、当該イオントフォレーシス装置１０は、櫛状に配された複数の突起２５２を有しているので、生体における体毛の多い皮膚に設置されることが好ましい。
【００５８】
以上、本実施形態によれば、イオントフォレーシス装置１０は、作用側電極構造体２００および非作用側電極構造体３００それぞれの頭皮との当接面が、櫛状の複数の突起２５２を有しているので、体毛などを避けて突起２５２が皮膚に接触する。よって、体毛の多い皮膚に対しても、突起２５２における皮膚との接触面から薬物を投与することができる。
【００５９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６０】
【図１】本発明の実施形態に係るイオントフォレーシス装置１０の斜視図である。
【図２】作用側電極構造体２００の斜視図である。
【図３】イオントフォレーシス装置１０の概略断面図である。
【図４】本実施形態のイオントフォレーシス装置１０を用いた薬物イオン投与の実施態様の一例である。
【図５】他の実施形態であるイオントフォレーシス装置１０の複合当接部８０の斜視図である。
【図６】図５に示す形態の概略断面図である。
【符号の説明】
【００６１】
１０  イオントフォレーシス装置、６０  電源、６２  端子、６４  端子、６６  ケーブル、７０  患者、８０  複合当接部、９０  連結部材、２００  作用側電極構造体、２１０  第１電極部材、２２０  第１電解液保持部、２３０  第２導電型のイオン交換膜、２４０  薬液保持部、２５０  第１導電型のイオン交換膜、２５２  突起、３００  非作用側電極構造体、３１０  第２電極部材、３２０  第２電解液保持部、３３０  第１導電型のイオン交換膜、３４０  第３電解液保持部、３５０  第２導電型のイオン交換膜、３５２  突起、４００  ヘッドギア部、４１０  装置固定バンド、４２０  固定位置調整ピン
【図１】
2007097686.tif 000003
【図２】
2007097686.tif 000004
【図３】
2007097686.tif 000005
【図４】
2007097686.tif 000006
【図５】
2007097686.tif 000007
【図６】
2007097686.tif 000008